【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
語句を分類するためのカテゴリを設定するカテゴリ設定手段と、
前記カテゴリごとに１または２以上の基準語句の入力を受け付け、当該基準語句を初期基準語句として設定する基準語句設定手段と、
前記初期基準語句と共に出現する共起語句を文書から抽出する共起語句抽出手段と、
前記初期基準語句と前記共起語句をデータベースに記憶する第一記憶手段と、
前記文書から前記カテゴリへの配属候補となる語句を抽出する語句抽出手段と、
前記配属候補語句について、前記共起語句との共起関連性に基づき前記カテゴリへの配属スコアを算出する配属スコア算出手段と、
前記配属スコアに基づき前記配属候補語句を前記カテゴリに配属を決定する配属決定手段と、
前記配属決定手段によって前記カテゴリに配属された前記配属候補語句を前記カテゴリに関連付けて前記データベースに記憶する第二記憶手段と、
を備えたこと特徴とするデータベースの作成装置。
【請求項２】
請求項１に記載のデータベースの作成装置において、
前記カテゴリ設定手段が、語句を分類するための目的カテゴリおよび前記分類の目的外の非目的カテゴリを設定することを特徴とするデータベースの作成装置。
【請求項３】
請求項１または請求項２に記載のデータベースの作成装置において、
外部から前記基準語句の入力を受け付ける入力手段を更に備えたことを特徴とするデータベースの作成装置。
【請求項４】
請求項１から請求項３のいずれか１項に記載のデータベースの作成装置において、
前記基準語句と前記共起語句との関連の強さを示す重み係数を算出する重み係数算出手段を更に有し、
前記重み係数に基づき前記配属スコアを算出することを特徴とするデータベースの作成装置。
【請求項５】
請求項４に記載のデータベースの作成装置において、
前記配属候補語句を前記カテゴリの前記基準語句に加えた際に、前記重み係数を更新する重み係数更新手段を更に有することを特徴とするデータベースの作成装置。
【請求項６】
請求項５に記載のデータベースの作成装置において、
前記共起語句が、複数の前記カテゴリの基準語句に対する共起語句となる場合、前記重み係数の値を減少させることを特徴とするデータベースの作成装置。
【請求項７】
請求項１から請求項６のいずれか１項に記載のデータベースの作成装置において、
前記配属候補語句について、前記共起語句との前記共起関連性を、共起頻度に基づき算出することを特徴とするデータベースの作成装置。
【請求項８】
請求項１から請求項７のいずれか１項に記載のデータベースの作成装置において、
前記共起語句が、前記基準語句と係り受け関係を持つ語句であることを特徴とするデータベースの作成装置。
【請求項９】
請求項１から請求項８のいずれか１項に記載のデータベースの作成装置において、
前記文書から語句を抽出する際、前記語句の品詞の組み合せパターンに基づき、前記文書中で隣接する複数の前記語句から複合語句を作成する複合語句作成手段を更に有することを特徴とするデータベースの作成装置。
【請求項１０】
コンピュータにより実行させるデータベースを作成するデータベースの作成方法であって、
語句を分類するためのカテゴリを設定するカテゴリ設定ステップと、
前記カテゴリごとに１または２以上の基準語句の入力を受け付け、当該基準語句を初期基準語句として設定する基準語句設定ステップと、
前記初期基準語句と共に出現する共起語句を文書から抽出する共起語句抽出ステップと、
前記初期基準語句と前記共起語句をデータベースに記憶する第一記憶ステップと、
前記文書から前記カテゴリへの配属候補となる語句を抽出する語句抽出ステップと、
前記配属候補語句について、前記共起語句との共起関連性に基づき前記カテゴリへの配属スコアを算出する配属スコア算出ステップと、
前記配属スコアに基づき前記配属候補語句を前記カテゴリに配属を決定する配属決定ステップと、
前記配属決定ステップによって前記カテゴリに配属された前記配属候補語句を前記カテゴリに関連付けて前記データベースに記憶する第二記憶ステップと、
を有すること特徴とするデータベースの作成方法。
【請求項１１】
コンピュータを、
語句を分類するためのカテゴリを設定するカテゴリ設定手段、
前記カテゴリごとに１または２以上の基準語句の入力を受け付け、当該基準語句を初期基準語句として設定する基準語句設定手段、
前記初期基準語句と共に出現する共起語句を文書から抽出する共起語句抽出手段、
前記初期基準語句と前記共起語句をデータベースに記憶する第一記憶手段、
前記文書から前記カテゴリへの配属候補となる語句を抽出する語句抽出手段、
前記配属候補語句について、前記共起語句との共起関連性に基づき前記カテゴリへの配属スコアを算出する配属スコア算出手段、
前記配属スコアに基づき前記配属候補語句を前記カテゴリに配属を決定する配属決定手段、および、
前記配属決定手段によって前記カテゴリに配属された前記配属候補語句を前記カテゴリに関連付けて前記データベースに記憶する第二記憶手段として機能させることを特徴とするデータベースの作成プログラム。
【手続補正２】
【補正対象書類名】明細書
【補正対象項目名】００１５
【補正方法】変更
【補正の内容】
【００１５】
請求項２に記載の発明は請求項１に記載のデータベースの作成装置において、前記カテゴリ設定手段が、語句を分類するための目的カテゴリおよび前記分類の目的外の非目的カテゴリを設定することを特徴とする。
【手続補正３】
【補正対象書類名】明細書
【補正対象項目名】００１６
【補正方法】変更
【補正の内容】
【００１６】
請求項３に記載の発明は、請求項１または請求項２に記載のデータベースの作成装置において、外部から前記基準語句の入力を受け付ける入力手段を更に備えたことを特徴とする。この場合、ユーザが基準語句を入力するだけで、容易にカテゴリ分類ができる。
【手続補正４】
【補正対象書類名】明細書
【補正対象項目名】００１７
【補正方法】変更
【補正の内容】
【００１７】
請求項４に記載の発明は、請求項１から請求項３のいずれか１項に記載のデータベースの作成装置において、前記基準語句と前記共起語句との関連の強さを示す重み係数を算出する重み係数算出手段を更に有し、前記重み係数に基づき前記配属スコアを算出することを特徴とする。
【手続補正５】
【補正対象書類名】明細書
【補正対象項目名】００１９
【補正方法】変更
【補正の内容】
【００１９】
請求項５に記載の発明は、請求項４に記載のデータベースの作成装置において、前記配属候補語句を前記カテゴリの前記基準語句に加えた際に、前記重み係数を更新する重み係数更新手段を更に有することを特徴とする。
【手続補正６】
【補正対象書類名】明細書
【補正対象項目名】００２１
【補正方法】変更
【補正の内容】
【００２１】
請求項６に記載の発明は、請求項５に記載のデータベースの作成装置において、前記共起語句が、複数の前記カテゴリの基準語句に対する共起語句となる場合、前記重み係数の値を減少させることを特徴とする。
【手続補正７】
【補正対象書類名】明細書
【補正対象項目名】００２３
【補正方法】変更
【補正の内容】
【００２３】
請求項７に記載の発明は、請求項１から請求項６のいずれか１項に記載のデータベースの作成装置において、前記配属候補語句について、前記共起語句との前記共起関連性を、共起頻度に基づき算出することを特徴とする。この場合、共起関連性を統計的に求め、さらに分類精度が向上する。
【手続補正８】
【補正対象書類名】明細書
【補正対象項目名】００２４
【補正方法】変更
【補正の内容】
【００２４】
請求項８に記載の発明は、請求項１から請求項７のいずれか１項に記載のデータベースの作成装置において、前記共起語句が、前記基準語句と係り受け関係を持つ語句であることを特徴とする。
【手続補正９】
【補正対象書類名】明細書
【補正対象項目名】００２６
【補正方法】変更
【補正の内容】
【００２６】
請求項９に記載の発明は、請求項１から請求項８のいずれか１項に記載のデータベースの作成装置において、前記文書から語句を抽出する際、前記語句の品詞の組み合せパターンに基づき、前記文書中で隣接する複数の前記語句から複合語句を作成する複合語句作成手段を更に有することを特徴とする。
【手続補正１０】
【補正対象書類名】明細書
【補正対象項目名】００２８
【補正方法】変更
【補正の内容】
【００２８】
請求項１０に記載の発明は、コンピュータにより実行させるデータベースを作成するデータベースの作成方法であって、語句を分類するためのカテゴリを設定するカテゴリ設定ステップと、前記カテゴリごとに１または２以上の基準語句の入力を受け付け、当該基準語句を初期基準語句として設定する基準語句設定ステップと、前記初期基準語句と共に出現する共起語句を文書から抽出する共起語句抽出ステップと、前記初期基準語句と前記共起語句をデータベースに記憶する第一記憶ステップと、前記文書から前記カテゴリへの配属候補となる語句を抽出する語句抽出ステップと、前記配属候補語句について、前記共起語句との共起関連性に基づき前記カテゴリへの配属スコアを算出する配属スコア算出ステップと、前記配属スコアに基づき前記配属候補語句を前記カテゴリに配属を決定する配属決定ステップと、前記配属決定ステップによって前記カテゴリに配属された前記配属候補語句を前記カテゴリに関連付けて前記データベースに記憶する第二記憶ステップと、を有すること特徴とする。
【手続補正１１】
【補正対象書類名】明細書
【補正対象項目名】００２９
【補正方法】変更
【補正の内容】
【００２９】
請求項１１に記載の発明は、コンピュータを、語句を分類するためのカテゴリを設定するカテゴリ設定手段、前記カテゴリごとに１または２以上の基準語句の入力を受け付け、当該基準語句を初期基準語句として設定する基準語句設定手段、前記初期基準語句と共に出現する共起語句を文書から抽出する共起語句抽出手段、前記初期基準語句と前記共起語句をデータベースに記憶する第一記憶手段、前記文書から前記カテゴリへの配属候補となる語句を抽出する語句抽出手段、前記配属候補語句について、前記共起語句との共起関連性に基づき前記カテゴリへの配属スコアを算出する配属スコア算出手段、前記配属スコアに基づき前記基準語句候補または前記共起語句候補を前記カテゴリに配属を決定する配属決定手段、前記配属決定手段によって前記カテゴリに配属された前記配属候補語句を前記カテゴリに関連付けて前記データベースに記憶する第二記憶手段として機能させることを特徴とする。